(57)【要約】【課題】  ＲＦタグとの間で電子情報を授受するための電波を送受信するためのＲＦタグ用アンテナ装置につき、ＲＦタグとの間での電波の送受信をより確実に行うことができるＲＦタグ用アンテナ装置を提供する。【解決手段】  ＲＦタグ用アンテナ装置１は、送信用アンテナ２と、受信用アンテナ３と、送信電波遮蔽体４とを備えている。送信用アンテナ２と受信用アンテナ３とは、独立したアンテナとして設けられており、ＲＦタグＡを挟んで両側に設置されるようにして配置されている。送信電波遮蔽体４は、特定のＲＦタグＡ１に対応する箇所には該送信電波を通過させるための送信電波通過用空隙４１を設け、特定のＲＦタグＡ１以外のＲＦタグには送信電波が到達しないようにこれを遮断するための遮蔽物であり、送信用アンテナ２と複数個並置された状態のＲＦタグＡとの間に設置されている。【選択図】      図２
0003227513.tif 000002
【実用新案登録請求の範囲】
【請求項１】
ＲＦタグとの間で電子情報を授受するための電波を送受信するためのアンテナ装置であって、送信用アンテナと受信用アンテナとを備えており、該送信用アンテナは、該ＲＦタグ用アンテナ装置から該ＲＦタグに対して送信する送信電波を発信するためのアンテナであり、該受信用アンテナは、ＲＦタグが該送信電波に応答すべく発信した応答電波を受信するとともに、該送信電波の一部がＲＦタグ側の部材を透過した透過送信電波を受信するためのアンテナであり、該送信用アンテナと該受信用アンテナとは、独立したアンテナとして設けられており、該ＲＦタグを挟んで両側に設置されるようにして配置されていることを特徴とするＲＦタグ用アンテナ装置。
【請求項２】
請求項１に記載したＲＦタグ用アンテナ装置であって、送信電波遮蔽体を備えており、該送信電波遮蔽体は、前記ＲＦタグが複数個並置された状態で特定のＲＦタグに対して前記送信電波を到達させる際に、該特定のＲＦタグに対応する箇所には該送信電波を通過させるための送信電波通過用空隙を設け、該特定のＲＦタグ以外のＲＦタグには送信電波が到達しないようにこれを遮断するための遮蔽物であって、該送信電波遮蔽体は、前記送信用アンテナと複数個並置された状態のＲＦタグとの間に設置されていることを特徴とするＲＦタグ用アンテナ装置。
【請求項３】
ＲＦタグに電子情報を書き込む装置及び／又はＲＦタグから電子情報を読み取る装置であって、請求項１又は２に記載したＲＦタグ用アンテナ装置を備えており、該ＲＦタグ用アンテナ装置を用いて前記ＲＦタグとの間で電波を送受信することにより、該ＲＦタグへの電子情報の書き込み及び／又は該ＲＦタグからの電子情報の読み取りを行うことを特徴とする装置。
【考案の詳細な説明】
【技術分野】
【０００１】
本考案は、ＲＦタグとの間で電子情報を授受するための電波を送受信するためのＲＦタグ用アンテナ装置に関する。
【背景技術】
【０００２】
ＲＦＩＤとは、「Ｒａｄｉｏ  Ｆｒｅｑｕｅｎｃｙ  Ｉｄｅｎｔｉｆｉｅｒ」ないし「Ｒａｄｉｏ  Ｆｒｅｑｕｅｎｃｙ  Ｉｄｅｎｔｉｆｉｃａｔｉｏｎ」の略称であり、我が国では無線自動認識技術といった訳語で呼称されることがある。ＲＦＩＤには、様々なタイプの技術が含まれるが、その概要は以下のとおりである。即ち、ＲＦタグは、メモリが内蔵された記憶媒体であって、電子タグ、ＩＣタグ、ＩＤタグ、ＲＦＩＤタグ、トランスポンダ、無線タグ、あるいは無線ＩＣタグとも呼称されているところであり、シート、カード、あるいはラベルといった様々な材質ないし形状等から形成される支持部材に取り付けられ、カード型、ラベル型、コイン型、スティック型、あるいはリストバンド型といった様々な形態のものとして提供されている。
【０００３】
リーダライタ装置は、インテロゲータとも呼称されるが、ＲＦタグが取り付けられる衣料品のような各種の商品等について、その名称、価格、原材料、製造地、あるいは製造日時といった各種の電子情報をそのＲＦタグに書き込んだり、あるいは既にＲＦタグに書き込まれている電子情報の内容を書き換えたりする装置である。尚、ＲＦタグに電子情報を書き込むための装置は、特にＲＦタグ発行装置やＲＦタグプリンターとも呼称されることがある。また、リーダライタ装置は、当該電子情報をＲＦタグから読み取る装置でもある。
【０００４】
ＲＦタグは、リーダライタ装置側のアンテナから発信される電波（以下、「送信電波」という。）を受信すると、共振作用によって起電力を生じ、該起電力によって搭載されているＩＣチップが起動して、該ＩＣチップの電子情報を符号化し、アンテナからリーダライタ装置へと電波（以下、「応答電波」という。）を発信する。そうすると、リーダライタ装置は、アンテナでＲＦタグから返信された電波を受信し、該電子情報を複合化して、その必要に応じて該リーダライタ装置に接続されているコンピュータ等にこれを転送するのである。
【０００５】
従来、上記のようなリーダライタ装置といったＲＦタグに電子情報を書き込み及び／又はＲＦタグから電子情報を読み込む装置に用いられるＲＦタグ用アンテナ装置は、図３及び４に図示するように、一般に、送信用アンテナと受信用アンテナとが一体のものとして形成された送受信用アンテナが用いられており、ＲＦタグに対して一方向のみから電波の送受信を行っていた。そうすると、送受信用アンテナがＲＦタグに対して送信電波を送信し、ＲＦタグが応答電波を送受信用アンテナに送信する際に、送信電波がＲＦタグの支持部材等に当たって反射（以下、「反射電波」という。）することになる。そうすると、該応答電波と該反射電波とが混在してしまい、該ＲＦタグ用アンテナ装置が該応答電波を受信し難くなってしまい、その結果リーダライタ装置がＲＦタグに電子情報を書き込みにくくなったり、ＲＦタグから電子情報を読み取りにくくなったりしてしまうという問題があった。
【０００６】
そこで、ベルトコンベヤ上に載置された物品に取り付けられたＲＦタグを確実に識別できるようにするための提案として、該物品を通過させる門形のフレーム体と、該フレーム体の前面側と後面側にそれぞれ付設するシールド用の金網、シールド用の磁気シールド板と、該金網と磁気シールド板の内面側にそれぞれ配設する受信用アンテナと送信用アンテナとを備えているＲＦタグ用アンテナ装置が提案されている（例えば、下記の特許文献１を参照。）。
【０００７】
確かに、上記のようなＲＦタグ用アンテナ装置であれば、送信用アンテナと受信用アンテナとが別個のものとして形成されているため、前記応答電波と前記反射電波とが混在してしまい、該ＲＦタグ用アンテナ装置が前記応答電波を受信し難くなるという問題を解消できるようにも思われる。
【０００８】
次に、図４に図示するように、ベルトコンベア上に複数のＲＦタグを並べ置いて上記のような各種の電子情報の書き込み作業を行うといったように、並置された複数のＲＦタグの内、特定のＲＦタグとの間で電子情報の授受を行う際、ＲＦタグ用アンテナ装置から発せられる電波が該特定のＲＦタグ以外のＲＦタグにも到達してしまい、該ＲＦタグ用アンテナ装置と該特定のＲＦタグとの間での電子情報の授受を正確に行うことが困難になってしまうという問題があった。
【０００９】
そこで、電子情報が書き込まれる前のＲＦタグであるＩＣインレットについて、以下のような提案がなされている。即ち、絶縁フィルム上に多数のＩＣインレットが形成された状態で、被検査対象であるＩＣインレットの良好性を精度よく検査するための方法として、当該検査はアンテナから該ＩＣインレットにマイクロ波を発信することで行われるところ、該絶縁フィルム上に形成された多数のＩＣインレットの内、検査の対象となる１個のＩＣインレットに対してのみマイクロ波を照射するため、該絶縁フィルムと該アンテナとの間に該ＩＣインレットとほぼ同じ大きさのスリットを穿設した電波吸収板を挿入し、該スリットを通じて該ＩＣインレットにマイクロ波を照射するＩＣインレットの製造方法が提案されている（例えば、下記の特許文献２を参照。）。
【００１０】
また、電子情報を書き込む対象になっていないＩＣインレットと誤って通信することを防止し、これを書き込む対象のインレットのみと通信することで単一のインレットに電子情報を書き込む動作を行い、適切なＩＣタグ発行処理を行うためのＲＦタグ発行装置として、ＩＣインレットと通信可能なライタを一端に接続したマイクロストリップラインと、該マイクロストリップラインの通信エリア内を通過するロールインレットの内、書込実行領域から外れる領域に存在するＩＣインレットに接触ないし近接させてＩＣインレットの通信特性を変化させる金属体とを備えており、該金属体には、搬送路形成体の上面を被覆した状態において該マイクロストリップラインの直上に相当する領域にスリットを形成することにより、書込実行領域に存在する単一のＩＣインレットに、該マイクロストリップラインを介してライタによりデータを書き込むＲＦタグ発行装置が提案されている（例えば、下記の特許文献３を参照。）。
【００１１】
確かに、上記のようなＩＣインレットの製造方法又はＲＦタグ発行装置であれば、前記アンテナやマイクロストリップラインと並置された複数のＩＣインレットとの間に該ＩＣインレットの大きさに応じたスリットを穿設した遮蔽物を設けているため、特定のＩＣインレットに対してのみ該スリットを介して電波を到達させることができ、それ以外のＩＣインレットには遮蔽物によって電波が遮られるため、特定のＩＣインレット以外のＩＣインレットにも電波が到達してしまうという問題を解消できるようにも思われる。
【先行技術文献】
【特許文献】
【００１２】
【特許文献１】特開２００４−２３８１９５号公報
【特許文献２】特表２００４−２２０１４１号公報
【特許文献３】特開２０１１−１３８４２６号公報
【考案の概要】
【考案が解決しようとする課題】
【００１３】
しかしながら、上記の従来技術に係るＲＦタグ用アンテナ装置は、なおＲＦタグとの間での電波の送受信を確実に行い難いことがあった。その原因の一つとして、本願考案者の得た知見によれば、前記送信電波の電力が強過ぎるため、特に複数のＲＦタグが近接している状態で特定のＲＦタグとの間で電波の送受信を行おうとする際に、該特定のＲＦタグ以外のＲＦタグとの間でも電波の送受信を行ってしまうことが考えられる。また、締め切った室内といった閉鎖された空間の内部には電波の定常波（定在波・停立波）が多く存在するため、特にこのような空間の内部でＲＦタグ用アンテナ装置がＲＦタグから発せされる応答電波を確実に受信することは困難であった。そこで、本考案の解決しようとする第１の課題は、ＲＦタグとの間で電子情報を授受するための電波を送受信するためのＲＦタグ用アンテナ装置につき、ＲＦタグとの間での電波の送受信をより確実に行うことができるＲＦタグ用アンテナ装置を提供することにある。
【００１４】
また、上記の従来技術に係るＲＦタグ用アンテナ装置は、特に複数のＲＦタグを並置した状態で特定のＲＦタグとの間で電波の送受信を行おうとする際に、なお当該特定のＲＦタグ以外のＲＦタグとの間でも電波の送受信を行ってしまうことがあった。そこで、本考案の解決しようとする第２の課題は、ＲＦタグとの間で電子情報を授受するための電波を送受信するためのＲＦタグ用アンテナ装置につき、複数のＲＦタグを並置した状態で特定のＲＦタグとの間での電波の送受信をより確実に行うことができるＲＦタグ用アンテナ装置を提供することにある。
【課題を解決するための手段】
【００１５】
本考案は、上記の各課題を解決するために提案されたものであり、以下の構成を有するものである。以下では、本考案の構成を理解するのを補助するため、本願に添付した図面に表示した番号及び符号をあわせて記載する。
【００１６】
請求項１に係るＲＦタグ用アンテナ装置（１）は、ＲＦタグ（Ａ）との間で電子情報を授受するための電波を送受信するためのアンテナ装置であって、送信用アンテナ（２）と受信用アンテナ（３）とを備えている。送信用アンテナ（２）は、ＲＦタグ用アンテナ装置（１）からＲＦタグ（Ａ）に対して送信する送信電波を発信するためのアンテナである。受信用アンテナ（３）は、ＲＦタグ（Ａ）が該送信電波に応答すべく発信した応答電波を受信するとともに、該送信電波の一部がＲＦタグ（Ａ）側の部材を透過した透過送信電波を受信するためのアンテナである。送信用アンテナ（２）と受信用アンテナ（３）とは、独立したアンテナとして設けられており、ＲＦタグ（Ａ）を挟んで両側に設置されるようにして配置されている。
【００１７】
請求項２に係るＲＦタグ用アンテナ装置（１）は、請求項１に記載したＲＦタグ用アンテナ装置（１）であって、送信電波遮蔽体（４）を備えている。送信電波遮蔽体（４）は、ＲＦタグ（Ａ）が複数個並置された状態で特定のＲＦタグ（Ａ１）に対して前記送信電波を到達させる際に、特定のＲＦタグ（Ａ１）に対応する箇所には該送信電波を通過させるための送信電波通過用空隙（４１）を設け、特定のＲＦタグ（Ａ１）以外のＲＦタグには送信電波が到達しないようにこれを遮断するための遮蔽物である。送信電波遮蔽体（４）は、送信用アンテナ（２）と複数個並置された状態のＲＦタグ（Ａ）との間に設置されている。
【００１８】
請求項３に係るＲＦタグに電子情報を書き込む装置及び／又はＲＦタグから電子情報を読み取る装置（Ｂ）は、請求項１又は２に記載したＲＦタグ用アンテナ装置（１）を備えており、ＲＦタグ用アンテナ装置（１）を用いてＲＦタグ（Ａ）との間で電波を送受信することにより、ＲＦタグ（Ａ）への電子情報の書き込み及び／又はＲＦタグからの電子情報の読み取りを行うための装置である。
【考案の効果】
【００１９】
本考案に係るＲＦタグ用アンテナ装置は、上記の通りの構成であるから、以下のような効果を奏することができる。
【００２０】
まず、請求項１に係るＲＦタグ用アンテナ装置（１）は、送信用アンテナ（２）と受信用アンテナ（３）とが独立したアンテナとして設けられており、ＲＦタグ（Ａ）を挟んで両側に設置されるようにして配置されていることから、受信用アンテナ（３）が受信する応答電波に反射電波が混在してしまうことがないため、受信用アンテナ（３）は確実に該応答電波を受信することができる。また、受信用アンテナ（３）が受信する透過送信電波は、該送信電波の一部がＲＦタグ（Ａ）側の部材を透過していることにより、その電力は弱まっている。そのため、特に複数のＲＦタグ（Ａ）が近接している状態で特定のＲＦタグ（Ａ１）との間で電波の送受信を行おうとする際に、特定のＲＦタグ（Ａ１）以外のＲＦタグとの間で電波の送受信を行ってしまうことを防止できる。更に、本願考案者の得た知見によれば、電波の定常波が多く存在する空間の内部でも、本考案に係るＲＦタグ用アンテナ装置（１）はＲＦタグ（Ａ）から発せされる応答電波を確実に受信することができる。従って、請求項１に記載したＲＦタグ用アンテナ装置は、ＲＦタグとの間で電子情報を授受するための電波を送受信するためのＲＦタグ用アンテナ装置につき、ＲＦタグとの間での電波の送受信をより確実に行うことができるＲＦタグ用アンテナ装置を提供するという本考案が解決しようとする第１の課題を解決することができる。
【００２１】
次に、請求項２に係るＲＦタグ用アンテナ装置（１）は、送信電波遮蔽体（４）が送信用アンテナ（２）と複数個並置された状態のＲＦタグとの間に設置されている。そうすると、ＲＦタグ（Ａ）が複数個並置された状態で特定のＲＦタグ（Ａ１）に対して前記送信電波を到達させる際に、送信電波用通過空隙（４１）を介して該送信電波を特定のＲＦタグ（Ａ１）に到達させ、該特定のＲＦタグ（Ａ１）以外のＲＦタグには該送信電波が到達しないようにこれを遮断することができる。従って、請求項２に係るＲＦタグ用アンテナ装置は、ＲＦタグとの間で電子情報を授受するための電波を送受信するためのＲＦタグ用アンテナ装置につき、複数のＲＦタグを並置した状態で特定のＲＦタグとの間での電波の送受信をより確実に行うことができるＲＦタグ用アンテナ装置を提供するという本考案が解決しようとする第２の課題を解決することができる。
【００２２】
また、請求項３に係るＲＦタグに電子情報を書き込む装置及び／又はこれを読み取る装置（Ｂ）は、請求項１又は２に記載したＲＦタグ用アンテナ装置（１）を備えているため、ＲＦタグ用アンテナ装置（１）を用いてＲＦタグとの間で電波を送受信することにより、ＲＦタグへの電子情報を書き込み及び／又はＲＦタグからの電子情報の読み取りをより確実に行うことができる。
【図面の簡単な説明】
【００２３】
【図１】本考案の一実施形態に係るＲＦタグ用アンテナ装置を備えるＲＦタグに電子情報を書き込む装置及び／又はこれを読み取る装置の使用態様を示した概略図である。
【図２】本考案の一実施形態に係るＲＦタグ用アンテナ装置の作用効果説明図である。
【図３】従前のＲＦタグ用アンテナ装置を備えるＲＦタグに電子情報を書き込む装置及び／又はこれを読み取る装置の使用態様を示した概略図である。
【図４】従前のＲＦタグ用アンテナ装置の作用説明図である。
【考案を実施するための形態】
【００２４】
以下に、本考案の一実施形態に係るＲＦタグ用アンテナ装置の構造及びその使用態様について添付図面に基づいて説明する。以下では、ＲＦタグ（Ａ）をベルトコンベア（Ｑ）上に載置して運搬しながら、リーダライタ装置（Ｂ）を用いてＲＦタグ（Ａ）に各種の電子情報を連続的に書き込んでいく場合ないしＲＦタグ（Ａ）に記録されている各種の電子情報を連続的に読み取っていく場合について説明する。もっとも、本考案に係るＲＦタグ用アンテナ装置の構造及びその使用態様は、このような態様に限定されるものではない。
【００２５】
本考案の一実施形態に係るＲＦタグ用アンテナ装置（１）は、図１及び２に図示するように、ＲＦタグ（Ａ）との間で電子情報を授受するための電波を送受信するためのアンテナ装置であって、送信用アンテナ（２）と、受信用アンテナ（３）と、送信電波遮蔽体（４）とを備えている。
【００２６】
送信用アンテナ（２）は、ＲＦタグ用アンテナ装置（１）からＲＦタグ（Ａ）に対して送信する送信電波を発信するためのアンテナである。尚、送信用アンテナ（２）は、結果的に、特定のＲＦタグ（Ａ１）が該送信電波に応答すべく発信した応答電波の一部及び該送信電波の一部がＲＦタグ（Ａ）の取り付けられているシート状の支持部材といったＲＦタグ（Ａ）側の部材に反射して生じた反射電波もあわせて受信することにはなる。送信用アンテナ（２）は、ＲＦタグ（Ａ）が使用する周波数に共振するアンテナであって、例えば、従前提供されているリーダライタ装置で使用されている各種公知のループアンテナ（枠形アンテナ・フレームアンテナ）を用いることができる。
【００２７】
受信用アンテナ（３）は、該応答電波を受信するとともに、該送信電波の一部がＲＦタグ（Ａ）側の部材を透過した透過送信電波を受信するためのアンテナである。受信用アンテナ（３）は、送信用アンテナ（２）と同様に、ＲＦタグ（Ａ）が使用する周波数に共振するアンテナであって、例えば、従前提供されているリーダライタ装置で使用されている各種公知のループアンテナを用いることができる。
【００２８】
送信用アンテナ（２）と受信用アンテナ（３）とは、図１及び２に図示するように、独立したアンテナとして設けられており、ＲＦタグ（Ａ）を挟んで両側に設置されるようにして配置されている。例えば、ベルトコンベア（Ｑ）を挟んで、一方側に送信用アンテナ（２）を設置し、他方側に受信用アンテナ（３）を設置することにより、商品（Ｐ）に取り付けられているＲＦタグ（Ａ）を挟んで送信用アンテナ（２）と受信用アンテナ（３）とが両側に設置されるようにして配置されている。
【００２９】
尚、図１及び２では、送信用アンテナ（２）と受信用アンテナ（３）とはＲＦタグ（Ａ）を挟んで正対するように配置されているが、該配置に特に限定されるものではない。即ち、本願考案者の得た知見によれば、ＲＦタグ用アンテナ装置（１）は該配置によらなくても所期の目的を達成することができるとともに、これを搭載するリーダライタ装置（Ｂ）といった機器の事情等によっては送信用アンテナ（２）と受信用アンテナ（３）とを該配置のように設置することができない場合もあるためである。
【００３０】
送信電波遮蔽体（４）は、図１及び２に図示するように、ＲＦタグ（Ａ）が複数個並置された状態で特定のＲＦタグ（Ａ１）に対して前記送信電波を到達させようとする場合に、特定のＲＦタグ（Ａ１）に対応する箇所には該送信電波を通過させるための送信電波通過用空隙（４１）を設け、特定のＲＦタグ以外のＲＦタグには送信電波が到達しないようにこれを遮断するための遮蔽物である。送信電波遮蔽体（４）は、送信用アンテナ（２）と複数個並置された状態のＲＦタグ（Ａ）との間に設置されている。例えば、送信用アンテナ（２）とベルトコンベア（Ｑ）との間に、送信電波通過用空隙（４１）になる前記の大きさのスリットを穿設した壁状の遮蔽物を送信電波遮蔽体（４）として設置する。
【００３１】
尚、図１及び２では、特定のＲＦタグ（Ａ１）が単一である場合を想定しており、特に図２では、これに対応させてＲＦタグ（Ａ）１つ分の幅を有する送信電波通過用空隙（４１）を設けた送信電波遮蔽体（４）となっているが、送信電波遮蔽体（４）は特にこのような態様に限定されるものではない。即ち、特定のＲＦタグ（Ａ１）は、複数のＲＦタグであってもよい。例えば、特定のＲＦタグ（Ａ１）が２つである場合には、それに対応させて、ＲＦタグ（Ａ）２つ分の幅を有する送信電波通過用空隙（４１）を設けた送信電波遮蔽体（４）とすることもできる。このような構成によれば、各種の電子情報をＲＦタグ（Ａ）により効率的に書き込むことができ、好適である。
【００３２】
リーダライタ装置（Ｂ）は、ＲＦタグ（Ａ）に電子情報を書き込み及び／又はＲＦタグ（Ａ）から電子情報を読み取るための装置であって、各種公知のリーダライタ装置を用いることができる。リーダライタ装置（Ｂ）は、ＲＦタグ用アンテナ装置（１）を備えており、ＲＦタグ用アンテナ装置（１）を用いてＲＦタグ（Ａ）との間で電波を送受信することにより、ＲＦタグ（Ａ）に電子情報を書き込むことができ、及び／又は、ＲＦタグ（Ａ）に記録されている電子情報を読み取ることができる。リーダライタ装置（Ｂ）は、図示するように、ＲＦタグ用アンテナ装置（１）とは独立した装置として形成し、これをＲＦタグ用アンテナ装置（１）に接続する態様でもよいが、ＲＦタグ用アンテナ装置（１）をリーダライタ装置（Ｂ）に搭載し、両者を一体的なものとして形成することもできる。また、リーダライタ装置（Ｂ）は、その必要に応じて、各種公知のパーソナルコンピュータといったコンピュータ等にこれを接続し、複合化した該電子情報を該コンピュータに転送するように構成してもよい。
【００３３】
以上が、本考案の一実施形態に係るＲＦタグ用アンテナ装置（１）の構造についての説明である。次に、本考案の一実施形態に係るＲＦタグ用アンテナ装置（１）の使用態様について添付図面に基づいて説明する。
【００３４】
図１に図示するように、ＲＦタグ（Ａ）ないしこれが取り付けられている商品（Ｐ）がベルトコンベア（Ｑ）上に載置され、リーダライタ装置（Ｂ）が設置されている箇所まで運搬されて来る。
【００３５】
そうすると、図２に図示するように、特定のＲＦタグ（Ａ１）は、送信用アンテナ（２）から発せられる送信電波を受信する。このとき、特定のＲＦタグ（Ａ１）は、共振作用によって起電力を生じ、該起電力によって搭載されているＩＣチップが起動して、該ＩＣチップの電子情報を符号化し、特定のＲＦタグ（Ａ１）に搭載されているアンテナから受信用アンテナ（３）へと応答電波を発信する。
【００３６】
このとき、図２に図示するように、ＲＦタグ用アンテナ装置（１）は、送信用アンテナ（２）と受信用アンテナ（３）とが独立したアンテナとして設けられており、ＲＦタグ（Ａ）を挟んで両側に設置されるようにして配置されていることから、受信用アンテナ（３）が受信する応答電波に反射電波が混在してしまうことがないため、受信用アンテナ（３）は確実に該応答電波を受信することができる。尚、送信用アンテナ（２）は、結果的に、ＲＦタグ（Ａ）が該送信電波に応答すべく発信した応答電波の一部を送信電波の一部がＲＦタグ（Ａ）側の部材に反射して生じた反射送信電波とあわせて受信することにはなる。また、受信用アンテナ（３）が受信する透過送信電波は、該送信電波の一部がＲＦタグ（Ａ）側の部材を透過していることにより、その電力は弱まっている。そのため、特に複数のＲＦタグ（Ａ）が近接している状態で特定のＲＦタグ（Ａ１）との間で電波の送受信を行おうとする際に、特定のＲＦタグ（Ａ１）以外のＲＦタグとの間で電波の送受信を行ってしまうことを防止できる。更に、本願考案者の得た知見によれば、電波の定常波が多く存在する空間の内部でも、ＲＦタグ用アンテナ装置（１）が特定のＲＦタグ（Ａ１）から発せされる応答電波を確実に受信することができる。
【００３７】
また、ＲＦタグ用アンテナ装置（１）は、送信電波遮蔽体（４）は、送信用アンテナ（２）とベルトコンベア（Ｑ）との間に設置されている。そうすると、図２に図示するように、ＲＦタグ（Ａ）が複数個並置された状態で特定のＲＦタグ（Ａ１）に対して前記送信電波を到達させようとする場合に、送信電波用通過空隙（４１）を介して該送信電波を特定のＲＦタグ（Ａ１）に到達させ、特定のＲＦタグ（Ａ１）以外のＲＦタグには該送信電波が到達しないようにこれを遮断することができる。
【００３８】
そうすると、リーダライタ装置（Ｂ）は、ＲＦタグ用アンテナ装置（１）を備えているため、ＲＦタグ用アンテナ装置（１）を用いてＲＦタグとの間で電波を送受信することにより、衣料品等の各種の商品（Ｐ）について、その名称、価格、原材料、製造地、あるいは製造日時といった各種の電子情報をＲＦタグ（Ａ）により確実に書き込むことができ、また、該電子情報をＲＦタグ（Ａ）からより確実に読み取ることができる。
【符号の説明】
【００３９】
１  ＲＦタグ用アンテナ装置
２  送信用アンテナ
３  受信用アンテナ
４  送信電波遮蔽体
４１  送信電波通過用空隙
Ａ  ＲＦタグ
Ｂ  リーダライタ装置
Ｃ  コンピュータ
Ｐ  商品
Ｑ  ベルトコンベア
【図１】
0003227513.tif 000003
【図２】
0003227513.tif 000004
【図３】
0003227513.tif 000005
【図４】
0003227513.tif 000006